(57)【要約】      （修正有）【課題】円環形状の段部へのスリーブの嵌装後の位置ずれを防止でき、スリーブを容器本体に短時間で嵌装できるカップ状容器を提供する。【解決手段】カップ状容器１は、外周上部に外側に突出した段部２４が形成された逆円錐台形状の容器本体２２の外周にあらかじめ逆円錐台形状に形成されたスリーブ１０が嵌め込まれている。スリーブ１０の上部が容器本体２２の段部２４に嵌着され、スリーブ１０は、上辺と下辺とが円弧形を有する扇形の展開形状に形成された状態における少なくとも逆円錐台形状のスリーブ１０の上面を形成する円の直径が、容器本体２２の段部２４を形成する円環の直径と同じである。逆円錐台形状のスリーブ１０の上面を形成する円の直径を構成する線分と逆円錐台形状のスリーブ１０を側面からみたときの斜辺とのなす角度が７８．１６度以上７８．３４度以下である。【選択図】図１
0003233218.tif 000002
【実用新案登録請求の範囲】
【請求項１】
外周上部に外側に突出した段部が形成された逆円錐台形状の容器本体の外周にあらかじめ逆円錐台形状に形成されたスリーブが嵌め込まれたカップ状容器であって、
前記スリーブの上部が前記容器本体の前記段部に嵌着され、
前記スリーブは、上辺と下辺とが円弧形を有する扇形の展開形状に形成された状態における少なくとも逆円錐台形状の前記スリーブの上面を形成する円の直径が、前記容器本体の前記段部を形成する円環の直径と同じであり、
逆円錐台形状の前記スリーブの上面を形成する円の直径を構成する線分と逆円錐台形状の前記スリーブを側面からみたときの斜辺とのなす角度が７８．１６度以上７８．３４度以下である、
ことを特徴とするカップ状容器。
【請求項２】
逆円錐台形状の前記スリーブの上面を形成する円の直径が８６．５ｍｍであり、
逆円錐台形状の前記スリーブの底面を形成する円の直径が６６．２ｍｍ以上６７．３ｍｍ以下であり、
逆円錐台形状の前記スリーブを側面からみたときの高さが７３．５ｍｍ以上７６．５ｍｍ以下である、
ことを特徴とする請求項１に記載のカップ状容器。
【考案の詳細な説明】
【技術分野】
【０００１】
本考案は、容器の外周に別体のスリーブが取り付けられたカップ状容器に関する。
【背景技術】
【０００２】
近年、容器本体内に熱湯を注ぐことにより飲食できるインスタントラーメン、味噌汁、コーヒー、スープ、お茶等の容器、あるいは電子レンジで容器本体ごと加熱して飲食する調理食品用容器としてのカップ状容器が多くみられる。一般に、このようなカップ状容器の容器本体の外周には商品名や使用方法等が印刷された別体のスリーブが取り付けられている。カップ状容器において、スリーブの容器への取り付けは、一端縁と他端縁にのり代部を設けた扇形状のシートを容器に巻き付けた後に上記したのり代部に接着材を塗布することにより行われていた（以下の特許文献１参照）。
【先行技術文献】
【特許文献】
【０００３】
【特許文献１】特開２００６−４４７２４号公報
【考案の概要】
【考案が解決しようとする課題】
【０００４】
上記したカップ状容器におけるスリーブの容器本体への取り付けは、扇形状のシートを容器に巻き付けた後に、のり代部に接着材を塗布することにより行われていたので、シートを容器に巻き付ける工程と、容器に巻き付けた後にのり代部に接着材を塗布する工程が存在する。この場合、シートを容器に巻き付ける工程において巻き付け位置が正確に行われなければ最終的に未完成の状態となってしまうし、巻き付けた後の所望の取付位置を正確に維持しながら短時間で接着を行うには限界があった。
【０００５】
本考案の課題は、円環形状の段部へのスリーブの嵌装後の位置ずれを防止でき、スリーブの取付位置を正確に維持しながらスリーブを容器本体に短時間で嵌装できるカップ状容器を提供することである。
【課題を解決するための手段】
【０００６】
上記課題を解決するために、本考案のカップ状容器（１）は、外周上部に外側に突出した段部（２４）が形成された逆円錐台形状の容器本体（２２）の外周にあらかじめ逆円錐台形状に形成されたスリーブ（１０）が嵌め込まれたカップ状容器（１）であって、スリーブ（１０）の上部が容器本体（２２）の段部に嵌着され、スリーブ（１０）は、上辺と下辺とが円弧形を有する扇形の展開形状に形成された状態における少なくとも逆円錐台形状のスリーブ（１０）の上面を形成する円の直径が、容器本体（２２）の段部を形成する円環の直径と同じであり、逆円錐台形状のスリーブ（１０）の上面を形成する円の直径を構成する線分と逆円錐台形状のスリーブ（１０）を側面からみたときの斜辺とのなす角度が７８．１６度以上７８．３４度以下であることを特徴とする。
【０００７】
上述の考案において、逆円錐台形状のスリーブ（１０）の上面を形成する円の直径が８６．５ｍｍであり、逆円錐台形状のスリーブ（１０）の底面を形成する円の直径が６６．２ｍｍ以上６７．３ｍｍ以下であり、逆円錐台形状のスリーブ（１０）を側面からみたときの高さが７３．５ｍｍ以上７６．５ｍｍ以下であることが好ましい。
【考案の効果】
【０００８】
本考案によれば、カップ状容器において、上辺と下辺とが円弧形を有する扇形の展開形状に形成された逆円錐台形状のスリーブであって、スリーブの上部が容器本体の段部に嵌着され、展開形状に形成された状態における少なくとも逆円錐台形状のスリーブの上面を形成する円の直径が、容器本体の段部を形成する円環の直径と同じであり、少なくともスリーブの上面を形成する円の直径を構成する線分と逆円錐台形状のスリーブを側面からみたときの斜辺とのなす角度が７８．１６度以上７８．３４度以下であるスリーブを含んで構成されることにより、円環形状の段部へのスリーブの嵌装後の位置ずれを防止できるため、スリーブの取付位置を正確に維持しながらスリーブを容器本体に短時間で嵌装できる。
【図面の簡単な説明】
【０００９】
【図１】本考案のカップ状容器の一実施の形態を説明するための図である。
【図２】本考案のカップ状容器を構成する展開形状のスリーブを示した図である。
【図３】スリーブの形状を特定する各種パラメータおよび評価結果を示した図である。
【考案を実施するための最良の形態】
【００１０】
以下に本考案のカップ状容器１の実施の形態について図面を参照して説明する。図１は、本考案のカップ状容器１の一実施の形態を説明するための図である。図２は本考案のカップ状容器１を構成する展開形状のスリーブ１０を示した図である。図３は、スリーブ１０の形状を特定する各種パラメータおよび評価結果を示した図である。但し、本考案は、その要旨を越えない限り、これらの図面に限定されるものではない。
【００１１】
本考案のカップ状容器１は、図１（ｄ）に示すように容器本体２２に当該容器本体２２の外周にスリーブ１０が嵌め込まれたものである。
【００１２】
図１（ｄ）は、容器本体２２の斜視図である。カップ状容器１は、底部３１および胴部３２からなる容器本体２２と、スリーブ１０とから形成され、スリーブ１０が胴部３２の外周部のほぼ全体を覆うように容器本体２２に嵌装されている。
【００１３】
（容器本体）
容器本体２２は、材料にプラスチックを使用してシート成形により製造される。この容器本体２２は、上端の開口３３に向けて漸次拡径する有底の逆円錐台形状を有する。即ち、容器本体２２は、底を塞ぐ底部３１、開口３３を有する胴部３２、及び開口３３の周りに形成された口縁３４を備える。底部３１は、上げ底であるが上げ底でないものでもよい。胴部３２は、底部３１の下端縁から立ち上がり開口３３まで無端状に延在し、全体的には開口３３に向けて漸次拡径する。口縁３４は、胴部３２の上端周縁に沿って無端状に延在し、円環形状を成す。また、容器本体２２の外周上部に外側に突出した段部２４が無端状に延在して形成され、円環形状を成す。
【００１４】
（スリーブ）
スリーブ１０は、図１（ａ）に示すように、合成樹脂ラミネート紙又は合成樹脂ラミネート紙以外の紙等を基材とするシート材で、両端にのり代部１５、１６を有し、上辺と下辺とが円弧形状であり全体として扇形の展開形状に形成されている。本実施の形態では、図１（ｂ）に示すように、スリーブ１０は扇形の展開形状のシートを当該シートののり代部１５と１６を接着し逆円錐台形状に形成される。以下では、便宜上、シート状の状態で展開形状に形成されている状態のスリーブを展開形状のスリーブ１０と呼び、展開形状のシートを構成するのり代部１５とのり代部１６を接着し逆円錐台形状に形成されている状態のスリーブを逆円錐台形状のスリーブ１０と呼ぶ。なお、展開形状あるいは逆円錐台形状の区別が明らかである場合にはそれらの用語を省略する。
【００１５】
逆円錐台形状のスリーブ１０の広口側が逆円錐台形状の容器本体２２の底部３１へ挿入され、容器本体２２の段部２４の外周にスリーブ１０の上端を係止した状態にしてスリーブ１０の容器本体２２への巻装が終了し、逆円錐台形状のスリーブ１０が容器本体２２の外周に固定される。なお、逆円錐台形状のスリーブ１０は、図示のようにスリーブ１０の上端が胴部３２の上端部近傍に位置し、スリーブ１０の下端が胴部３２の下端まで覆うように延びていることが望ましいが、スリーブ１０の上端及び下端は必ずしもその位置に達してなくても良い。
【００１６】
ここで、逆円錐台形状のスリーブ１０が容器本体２２の外周に固定される原理について説明する。容器本体２２の段部２４の外周に逆円錐台形状のスリーブ１０の上端を係止した状態にすることにより、容器本体２２と逆円錐台形状のスリーブ１０の位置ずれは、段部２４の表面（以下、「段部接触面」と呼ぶ。）と逆円錐台形状のスリーブ１０の段部２４に接触する側の面（以下、「スリーブ接触面」と呼ぶ。）との摩擦力により生じにくくなる。段部接触面とスリーブ接触面との間に上記した摩擦力を発生させるための後述する所定の条件（展開形状のスリーブ１０の形状に関するパラメータ（形状パラメータ））があり、本発明ではその条件を満たした特定の形状により上記した摩擦力による位置ずれ防止という効果が得られる。
【００１７】
ここで、位置ずれするか否かの評価は以下の手順で行われる。まず、様々なパラメータを有する逆円錐台形状のスリーブ１０を用意し、スリーブ１０の広口側を逆円錐台形状の容器本体２２の底部３１へ挿入し、容器本体２２の段部２４の外周にスリーブ１０の上端へ嵌装させる。その後、逆円錐台形状のスリーブ１０を上下左右に動かして容器本体２２に対して位置ずれするか否かを判定（評価）することにより行われる。発明者等は、後述するように展開形状のスリーブ１０の形状が所定の条件（後述する特定の形状パラメータ）を満たした場合にのみ摩擦力により位置ずれ防止の効果を有することを確認した。
【００１８】
以下に、摩擦力により位置ずれ防止の効果を有する展開形状スリーブ１０の形状を特定するための形状パラメータについて図２および図３を参照して説明する。
【００１９】
［適用できる展開形状スリーブの形状を特定する各種パラメータ］
本実施の形態に係るカップ状容器１を構成する展開形状のスリーブ１０において、スリーブ１０の上面を形成する円の直径（上面円直径）をＬ１（ｍｍ）、スリーブ１０の底面を形成する円の直径（底面円直径）をＬ２（ｍｍ）、展開形状のスリーブ１０の長手方向の長さ（展開形状スリーブ長さ）をＬ３（ｍｍ）とする。
【００２０】
ここで、上面円直径Ｌ１は、嵌装対象である容器本体２２の円環状の段部２４の直径と同じであることが前提であるが、嵌め込んだ後にスリーブ１０が容器本体２２に接触して、かつ、逆円錐台形状のスリーブ１０が容器本体２２に対して位置ずれしない程度の大きさであればよい。
【００２１】
また、逆円錐台形状のスリーブ１０を側面からみたときの高さ（第１の高さ（側面高さ））をＨ１（ｍｍ）とする。また、のり代部１５又はのり代部１６の下端からスリーブ１０の上面を形成する円の直径を構成する線分までの長さ（第２の高さ）をＨ２（ｍｍ）とする。また、逆円錐台形状のスリーブ１０の上面を形成する円の直径を構成する線分と逆円錐台形状のスリーブ１０を側面からみたときの斜辺とのなす角度（第１の角度）をθ１度（°）とする。また、逆円錐台形状のスリーブ１０の下面を形成する円の直径を構成する線分と逆円錐台形状のスリーブ１０を側面からみたときの斜辺とのなす角度（第２の角度）をθ２度（°）とする。なお、第２の角度θ２度（°）は第１の角度θ１が求まれば自動的に求まる。
【００２２】
また、のり代１５部又はのり代部１６の下端（逆円錐台形状のスリーブ１０の軸方向における最下端、以下同じ）からスリーブ１０の上面を形成する円の直径を構成する線分までの長さ（第２の高さ）をＨ２（ｍｍ）とする。なお、この第２の高さＨ２は、逆円錐台形状のスリーブ１０の軸方向において、のり代部１５（又はのり代部１６）の下端から逆円錐台形状のスリーブ１０の上面を形成する円の直径を構成する線分までの長さが最長となるところの長さである。
【００２３】
上記した各種パラメータの内、Ｌ１、Ｌ２、Ｌ３、Ｈ１およびＨ２はカップ状容器の用途によって異なるが、θ１のパラメータはＬ１、Ｌ２、Ｌ３、Ｈ１およびＨ２の値がどう変化しようと不変である。その意味で、本発明の重要な点は、θ１のパラメータが後述する範囲内であることである。なお、最適なパラメータの組み合わせは図３に示すように３種類あるがこの範囲内における組み合わせであれば後述する作用効果と同様の作用効果を得ることができる。
【００２４】
［適用できるスリーブの形状を特定する各種パラメータ］
本実施の形態に係るカップ状容器１を構成する展開形状のスリーブ１０の形状を特定する各種パラメータは図３の実施例１〜３に示す範囲で適用される。実施例１〜３に係る展開形状のスリーブ１０の適用範囲は、具体的には、Ｌ１は８６．５ｍｍ、Ｌ２は６６．２ｍｍ〜６７．３ｍｍの範囲で、Ｌ３は２８０ｍｍ、Ｈ１は７３．５〜７６．５ｍｍの範囲で、Ｈ２は９５．３４〜９８．３５ｍｍの範囲で、θ１は７８．１６度〜７８．３４度の範囲で適用される。なお、θ２についてはθ１に応じて自動に決定されるのでここでは省略する。なお、最適なパラメータの組み合わせは図３に示す３種類（実施例１〜３）あるが上記した範囲内における組み合わせであれば後述する作用効果と同様の作用効果を得ることができる。一方、比較例１、２は、逆円錐台形状のスリーブ１０を容器本体に嵌装させた後、上記した摩擦力により位置ずれ防止の効果が得られなかった例である。
【００２５】
以下、実施例１〜３、比較例１、２のパラメータおよび位置ずれ評価について説明する。なお、位置ずれ評価の方法は、パラメータの異なる全５種類の逆円錐台形状のスリーブ１０を用意し、逆円錐台形状のスリーブ１０の広口側を逆円錐台形状の容器本体２２の底部３１へ挿入し、容器本体２２の段部２４の外周にスリーブ１０の上端への嵌装を行った後に逆円錐台形状のスリーブ１０を上下左右に動かして容器本体２２に対して位置ずれするか否かを判定（評価）することにより行われる。上記評価を行い、全く位置ずれしない場合には〇（良い評価）、位置ずれが生じる場合には×（悪い評価）とする。以下に、実施例１〜３および比較例１、２についてのパラメータと位置ずれ評価について説明する。
【００２６】
図３の１段目に記載されているのは、実施例１に係る逆円錐台形状のスリーブ１０の各種パラメータ（Ｌ１、Ｌ２、Ｌ３、Ｈ１、Ｈ２、θ１、θ２）および評価結果である。２段目に記載されているのは、実施例２に係る逆円錐台形状のスリーブの各種パラメータおよび評価結果である。３段目に記載されているのは、実施例３に係る逆円錐台形状のスリーブの各種パラメータおよび評価結果である。４段目に記載されているのは、比較例１に係る逆円錐台形状のスリーブ１０の各種パラメータおよび評価結果である。５段目に記載されているのは、比較例２に係る逆円錐台形状のスリーブ１０の各種パラメータおよび評価結果である。
【００２７】
［実施例１］
（実施例１のパラメータ）
実施例１の逆円錐台形状のスリーブ１０の各種パラメータは、上面円直径Ｌ１は８６．５ｍｍ、底面円直径Ｌ２は６６．５ｍｍ、展開形状スリーブ長さＬ３は２８０ｍｍ、第１の高さＨ１は７６．５ｍｍ、第２の高さＨ２は９８．１３ｍｍ、第１の角度θ１は７８．３３度、第２の角度θ２は１０１．６７度である。
【００２８】
（実施例１の評価）
位置ずれ評価は、逆円錐台形状のスリーブ１０を上下左右に動かしても容器本体２２に対して位置ずれしないことが確認でき、評価は良好（〇評価）であった。
【００２９】
［実施例２］
（実施例２のパラメータ）
実施例２の逆円錐台形状のスリーブ１０の各種パラメータは、上面円直径Ｌ１は８６．５ｍｍ、底面円直径Ｌ２は６６．２ｍｍ、展開形状スリーブ長さＬ３は２８０ｍｍ、第１の高さＨ１は７６．５ｍｍ、第２の高さＨ２は９８．３５ｍｍ、第１の角度θ１は７８．１６度、第２の角度θ２は１０１．８４度である。
【００３０】
（実施例２の評価）
位置ずれ評価は、逆円錐台形状のスリーブ１０を上下左右に動かしても容器本体２２に対して位置ずれしないことが確認でき、評価は良好（〇評価）であった。
【００３１】
［実施例３］
（実施例３のパラメータ）
実施例３の逆円錐台形状のスリーブ１０の各種パラメータは、上面円直径Ｌ１は８６．５ｍｍ、底面円直径Ｌ２は６７．３ｍｍ、展開形状スリーブ長さＬ３は２８０ｍｍ、第１の高さＨ１は７３．５ｍｍ、第２の高さＨ２は９５．３４ｍｍ、第１の角度θ１は７８．３４度、第２の角度θ２は１０１．６６度である。
【００３２】
（実施例３の評価）
位置ずれ評価は、逆円錐台形状のスリーブ１０を上下左右に動かしても容器本体２２に対して位置ずれしないことが確認でき、評価は良好（〇評価）であった。
【００３３】
［比較例１］
（比較例１のパラメータ）
比較例１の逆円錐台形状のスリーブ１０の各種パラメータは、上面円直径Ｌ１は８６ｍｍ、底面円直径Ｌ２は６６．８ｍｍ、展開形状スリーブ長さＬ３は２８０ｍｍ、第１の高さＨ１は７６．５ｍｍ、第２の高さＨ２は９７．９ｍｍ、第１の角度θ１は７８．７９度、第２の角度θ２は１０１．２１度である。
【００３４】
（比較例１の評価）
位置ずれ評価は、逆円錐台形状のスリーブ１０を上下左右に動かした場合に容器本体２２に対して位置ずれが生じたことが確認でき、評価は不良（×評価）であった。
【００３５】
［比較例２］
（比較例２のパラメータ）
比較例２の逆円錐台形状のスリーブ１０の各種パラメータは、上面円直径Ｌ１は８６ｍｍ、底面円直径Ｌ２は６７．３ｍｍ、展開形状スリーブ長さＬ３は２８０ｍｍ、第１の高さＨ１は７３．５ｍｍ、第２の高さＨ２は９４．７７ｍｍ、第１の角度θ１は７８．６４度、第２の角度θ２は１０１．３６度である。
【００３６】
（比較例２の評価）
位置ずれ評価は、逆円錐台形状のスリーブ１０を上下左右に動かした場合に容器本体２２に対して位置ずれが生じたことが確認でき、評価は不良（×評価）であった。
【００３７】
また、本考案の実施の形態は、上述した実施の形態に限定されるものではなく、本考案の要旨を逸脱しない範囲において種々の変更が可能である。
【符号の説明】
【００３８】
１…カップ状容器
１０…スリーブ
１０−１、１０−２、１０−３…スリーブ
１５、１６…のり代部
２２…容器本体
２４…段部
３１…底部
３２…胴部
３３…開口
３４…口縁
【図１】
0003233218.tif 000003
【図２】
0003233218.tif 000004
【図３】
0003233218.tif 000005